(57)【要約】【課題】  複数の記憶媒体に記憶されているデータを１つの記憶媒体に記録する際に、複数の記憶媒体の順序を確かめる手間を不要にできるようにする。【解決手段】  取り外し可能な第１の記憶媒体に記録されているデータを第２の記憶媒体に書き込む手段と、前記第１の記憶媒体に固有に割り当てられるＩＤを取得して記憶する手段と、前記第１の記憶媒体に記録されているデータサイズを取得して記憶する手段と、複数の前記第１の記憶媒体間の関連付を示す関連付け情報生成して記憶する手段と、互いに関連付けられた前記第１の記憶媒体の順序情報を生成して記憶する手段と、前記関連付け情報と前記取得されたデータサイズとを用いて、前記第１の記憶媒体に記録されているデータを第２の記憶媒体に書き込む際の先頭アドレスを決定する手段とを設け、転送したデータの順序が前後していても転送したデータを所定の位置に書き込むことができるようにする。【選択図】  図１
2009004046.tif 000002
【特許請求の範囲】
【請求項１】
取り外し可能な第１の記憶媒体に対してデータを記録再生する記録再生手段と、
前記第１の記憶媒体に記録されているデータを記録装置により第２の記憶媒体に記録すべく前記記録装置に対して前記第１の記憶媒体から再生されたデータを前記記録装置に出力する手段と、
前記第１の記憶媒体に記録されているデータサイズを取得する手段と、
互いに関連付けられた複数の前記第１の記憶媒体と前記関連付けられた複数の前記第１の記憶媒体の順序を示す関連付け情報を生成する手段と、
前記関連付け情報と前記取得されたデータサイズとを用いて、前記第１の記憶媒体に記録されているデータを第２の記憶媒体に記録する際のアドレスを決定する手段とを備えることを特徴とする記録装置。
【請求項２】
前記関連付け情報は、前記第１の記憶媒体の識別情報を含むことを特徴とする請求項１に記載の記録装置。
【請求項３】
前記第１の記憶媒体の記憶可能容量は前記第２の記憶媒体の記憶可能容量よりも少ないことを特徴とする請求項１または２に記載の記録装置。
【請求項４】
前記関連付け情報、及び前記第２の記憶媒体に記録する際のアドレスを記憶するための不揮発性記憶媒体を備えることを特徴とする請求項１〜３の何れか１項に記載の記録装置。
【請求項５】
前記第１の記憶媒体にタイトルを付加する手段を更に有し、
前記付加されるタイトルと前記関連付け情報とが対で記憶されることを特徴とする請求項１〜４の何れか１項に記載の記録装置。
【請求項６】
前記関連付け情報は、前記第１の記憶媒体のタイトルを選択することで付加されることを特徴とする請求項５に記載の記録装置。
【請求項７】
取り外し可能な第１の記憶媒体に対してデータを記録再生する記録再生工程と、
前記第１の記憶媒体に記録されているデータを記録装置により第２の記憶媒体に記録すべく前記記録装置に対して前記第１の記憶媒体から再生されたデータを前記記録装置に出力する工程と、
前記第１の記憶媒体に記録されているデータサイズを取得する工程と、
互いに関連付けられた複数の前記第１の記憶媒体と前記関連付けられた複数の前記第１の記憶媒体の順序を示す関連付け情報を生成する工程と、
前記関連付け情報と前記取得されたデータサイズとを用いて、前記第１の記憶媒体に記録されているデータを第２の記憶媒体に記録する際のアドレスを決定する工程とを備えることを特徴とする記録方法。
【請求項８】
前記関連付け情報は、前記第１の記憶媒体の識別情報を含むことを特徴とする請求項７に記載の記録方法。
【請求項９】
前記第１の記憶媒体の記憶可能容量は前記第２の記憶媒体の記憶可能容量よりも少ないことを特徴とする請求項７または８に記載の記録方法。
【請求項１０】
前記関連付け情報、及び前記第２の記憶媒体に記録する際のアドレスを記憶するための不揮発性記憶媒体を備えることを特徴とする請求項７〜９の何れか１項に記載の記録方法。
【請求項１１】
前記第１の記憶媒体にタイトルを付加する工程を更に有し、
前記付加されるタイトルと前記関連付け情報とが対で記憶されることを特徴とする請求項７〜１０の何れか１項に記載の記録方法。
【請求項１２】
前記関連付け情報は、前記第１の記憶媒体のタイトルを選択することで付加されることを特徴とする請求項１１に記載の記録方法。
【請求項１３】
取り外し可能な第１の記憶媒体に対してデータを記録再生する記録再生工程と、
前記第１の記憶媒体に記録されているデータを記録装置により第２の記憶媒体に記録すべく前記記録装置に対して前記第１の記憶媒体から再生されたデータを前記記録装置に出力する工程と、
前記第１の記憶媒体に記録されているデータサイズを取得する工程と、
互いに関連付けられた複数の前記第１の記憶媒体と前記関連付けられた複数の前記第１の記憶媒体の順序を示す関連付け情報を生成する工程と、
前記関連付け情報と前記取得されたデータサイズとを用いて、前記第１の記憶媒体に記録されているデータを第２の記憶媒体に記録する際のアドレスを決定する工程とをコンピュータに実行させることを特徴とするプログラム。
【請求項１４】
請求項１３に記載のプログラムを格納したことを特徴とするコンピュータ読み取り可能な記憶媒体。
【発明の詳細な説明】
【技術分野】
【０００１】
本発明は記録装置及び記録方法に関し、特に、光ディスクや半導体メモリカードなどリムーバブルなメディアに記録可能な記録装置に用いて好適な技術に関する。
【背景技術】
【０００２】
近年、光ディスクやメモリカードなどの大容量のリムーバブルメディアに記録できる記録装置が主流になっており、様々な種類の記憶容量のメディアが使用されている。例えば、片面記録のＤＶＤ(Digital Versatile Disc)には、記録容量約１.４GBの８ｃｍディスクと記録容量約４.７GBの１２ｃｍディスクとがある。
【０００３】
一般に、ＤＶＤに直接記録するビデオカメラなどのようなポータブル機器は、携帯性が重視されるため、直径の小さい８ｃｍディスクが主に用いられる（例えば、特許文献１参照）。一方、１２ｃｍディスクは記憶容量が大きい上に単価が安いなどの理由により、記録されたデータを最終的に保存するためのメディアとして最適である。
【０００４】
そこで、複数枚の書き替え可能な８ｃｍディスクに記録したデータを、１２ｃｍディスクにコピー（ダビング）することにより、データを最終保存する構成が考えられる。このように、データを１２ｃｍディスクにコピーした後で初期化すれば、８ｃｍディスクを撮影用に再び使用することができる。
【０００５】
【特許文献１】特開２００３−２５７０２１号公報
【発明の開示】
【発明が解決しようとする課題】
【０００６】
前述したように、８ｃｍディスクは小型である反面、１２ｃｍディスクに比べると記憶容量が少なく、高画質モードのビットレートで撮影すると約２０分と非常に短くなってしまう。そのため、旅行や行事で８ｃｍディスクを用いて撮影を行なう場合、記録内容が複数枚のディスクにわたることが多い。
【０００７】
例えば、８ｃｍディスクに記録されたデータを１２ｃｍディスクにバックアップする場合、８ｃｍディスクの記録容量であれば３枚分のデータまで１２ｃｍディスクに記録することができる。具体的なバックアップ方法としては、ビデオカメラ本体に８ｃｍディスクを装着し、外付けドライブにデータ転送し、８ｃｍディスクに記録されているデータを１２ｃｍディスクにコピーするという一連の操作を３回繰り返す方法が考えられる。
【０００８】
このようなバックアップ操作を行なった場合、バックアップ先の１２ｃｍディスクに記録するデータは、ビデオカメラ本体で記録した順番に並んでいることが理想である。そこで、データ転送を行なう順番は、記録したディスクの順序に従って行なわなくてはならない。
【０００９】
特に、互換再生に優れるVIDEO形式で記録する場合は、後から順番を入れ替えることが不可能なため、データをバックアップするときに、順序よくデータを書き込む必要がある。複数枚にわたる一連の内容のディスクに順序があるときに、ユーザがディスクの順序を判別するためには面倒な手間が必要であった。例えば、ディスクのラベルなどにメモを残すか、データバックアップ時に全てのディスクの内容を確認してバックアップする順序を確かめる手間が必要であった。
【００１０】
本発明は前述の問題点に鑑み、複数の記憶媒体に記憶されているデータを１つの記憶媒体に記録する際に、複数の記憶媒体のデータを転送する順序を確かめる手間を不要にできるようにすることを目的としている。
【課題を解決するための手段】
【００１１】
本発明の記録装置は、取り外し可能な第１の記憶媒体に対してデータを記録再生する記録再生手段と、前記第１の記憶媒体に記録されているデータを記録装置により第２の記憶媒体に記録すべく前記記録装置に対して前記第１の記憶媒体から再生されたデータを前記記録装置に出力する手段と、前記第１の記憶媒体に記録されているデータサイズを取得する手段と、互いに関連付けられた複数の前記第１の記憶媒体と前記関連付けられた複数の前記第１の記憶媒体の順序を示す関連付け情報を生成する手段と、前記関連付け情報と前記取得されたデータサイズとを用いて、前記第１の記憶媒体に記録されているデータを第２の記憶媒体に記録する際のアドレスを決定する手段とを備えることを特徴とする。
【００１２】
本発明の記録方法は、取り外し可能な第１の記憶媒体に対してデータを記録再生する記録再生工程と、前記第１の記憶媒体に記録されているデータを記録装置により第２の記憶媒体に記録すべく前記記録装置に対して前記第１の記憶媒体から再生されたデータを前記記録装置に出力する工程と、前記第１の記憶媒体に記録されているデータサイズを取得する工程と、互いに関連付けられた複数の前記第１の記憶媒体と前記関連付けられた複数の前記第１の記憶媒体の順序を示す関連付け情報を生成する工程と、前記関連付け情報と前記取得されたデータサイズとを用いて、前記第１の記憶媒体に記録されているデータを第２の記憶媒体に記録する際のアドレスを決定する工程とを備えることを特徴とする。
【００１３】
本発明のプログラムは、取り外し可能な第１の記憶媒体に対してデータを記録再生する記録再生工程と、前記第１の記憶媒体に記録されているデータを記録装置により第２の記憶媒体に記録すべく前記記録装置に対して前記第１の記憶媒体から再生されたデータを前記記録装置に出力する工程と、前記第１の記憶媒体に記録されているデータサイズを取得する工程と、互いに関連付けられた複数の前記第１の記憶媒体と前記関連付けられた複数の前記第１の記憶媒体の順序を示す関連付け情報を生成する工程と、前記関連付け情報と前記取得されたデータサイズとを用いて、前記第１の記憶媒体に記録されているデータを第２の記憶媒体に記録する際のアドレスを決定する工程とをコンピュータに実行させることを特徴とする。
【発明の効果】
【００１４】
本発明によれば、複数の第１の記憶媒体間において関連付けされた情報とデータサイズとにより、バックアップ先の先頭アドレスが分かるので、転送したデータの順序が前後していても転送したデータを所定の位置に書き込むことが可能となる。これにより、最終的にデータが正しい順序に並んだ記憶媒体が自動的にでき上がるので、ユーザは複数のディスクを転送する際に、ディスクを挿入する順序を気にすることなくデータバックアップを行なうことができる。
【発明を実施するための最良の形態】
【００１５】
（第１の実施の形態）
図１は、本実施形態におけるダビングシステムの構成例を示し、ビデオカメラ（記録装置）１１と、外部ドライブ（ＤＶＤドライブ）１２とを、接続ケーブル１３を介して接続している様子を示している。本実施形態においては、ビデオカメラ１１に設けられているＤＶ端子（図示せず）と、外部ドライブ１２に設けられているＤＶ端子（図示せず）とを、接続ケーブル１３を介して接続している。本実施形態においては、３枚の８ｃｍディスク１４に記録されているデータを、１枚の１２ｃｍディスク１５にダビングする場合について説明する。
【００１６】
図２に、本実施形態のダビングシステムを実現するためのシステム概要図を示す。
図２において、光学ユニット２０１（光学系とその光学系を制御するためのモータ、撮像素子などから構成される）を通過した外光は、撮像素子の面上に光学像を結像し、撮像素子により電気信号に変換される。
【００１７】
そして、光学像から変換された電気信号は、画像処理部２０２によりデジタルデータに変換され、公知の圧縮符号化処理が施されて揮発性記憶媒体２０３に記憶される。揮発性記憶媒体２０３に記憶されたデジタルデータは、記録媒体インターフェイス２０４を経由して、ビデオカメラ１１に装着された第１の記憶媒体（第１の記録メディア）２０５に記録される。
【００１８】
第１の記憶媒体２０５に記録された映像データを再生する際は、第１の記憶媒体２０５から読み出されたデジタルデータが、画像処理部２０２において伸張処理され、表示に最適な信号に変換され表示部２０６に表示される。
【００１９】
ユーザは、ユーザ操作部２０７に配設されている種々のスイッチや操作釦などを操作することによってビデオカメラ１１の記録再生操作を行なう。ＩＤ取得部２０８では、第１の記憶媒体２０５に記録されたメディア固有の識別情報（ＩＤ、シリアルナンバー）を取得する。データサイズ取得部２０９では第１の記憶媒体２０５に記録されている記録済データサイズを取得する。
【００２０】
テーブル生成部２１０では、ＩＤ取得部２０８で取得したメディアＩＤごとの関連付け情報（第１の記憶媒体間の関連付を示す情報）と、データサイズ取得部２０９で取得されたデータサイズ、及び先頭アドレスを算出して決定し、テーブルを作成する。作成されたテーブルは、不揮発性記憶媒体２１１に記憶される。なお、先頭アドレスの算出方法は後述する。
【００２１】
本実施形態のビデオカメラ１１は通信インターフェイス２１２を備えており、外部接続された外部ドライブ２１３（図１の外部ドライブ１２に相当する）と接続ケーブル１３を介して接続してデータ通信を行なう。これにより、第１の記憶媒体の２０５に記録されているデータを読み出して、その読み出したデータを外部ドライブ２１３に出力することにより、第２の記憶媒体（第２の記録メディア）２１４に記録することが可能である。外部ドライブ２１３と通信ＩＦ２１２との間の通信方法はＵＳＢ(Universal Serial Bus)が一般的である。以上のシステムはＣＰＵ２１５によって制御される。本実施形態において、第１の記憶媒体の２０５の記憶可能容量は、前記第２の記憶媒体２１４の記憶容量よりも少ない。例えば、第１の記録メディア２０５として前記の８ｃｍＤＶＤを用い、第２の記録メディア２１４として前記の１２ｃｍＤＶＤを用いる。
【００２２】
次に、ディスク関連付け情報テーブルの追加と作成についての詳細を示す。
図３の（ａ）にディスク関連付け情報テーブルの一例を示す。このテーブルには、ディスクＩＤ、一連の記録内容の関連付けを示す関連付け番号（関連付け情報）、関連付け番号に対応したディスクタイトルが記載されている。また、同一の関連付け番号内での順序を示す順序番号（互いに関連付けられた前記第１の記憶媒体２０５の順序情報）、バックアップ先のデータ先頭オフセットなどが記載されている。
後述の様に、ユーザにより同じディスクタイトルが付加されたディスク２０５は、同一のグループに関連づけられたディスクとして管理される。
【００２３】
ディスクＩＤは、ユニークなシリアルナンバーである。通常は、複数桁のランダムな番号であるが、本実施形態においては説明を簡単にするために、３桁の連続した番号とした。これらの情報は、第１の記憶媒体２０５が挿入された時にＣＰＵ２１５によって生成され、情報テーブルに追加される。このリストはビデオカメラ１１の不揮発性記憶媒体２１１に記憶される。
【００２４】
図４に、第１の記録メディア２０５（ディスク）が新たに挿入された時に行われる処理の流れを示す。
ディスクが挿入されると、ステップＳ４０１において、記録もしくは再生の初期化処理が行われるとともに、挿入されたディスクＩＤの取得処理がＩＤ取得部２０８により行われる。
【００２５】
次に、ステップＳ４０２において、ステップＳ４０１で取得されたディスクＩＤと履歴テーブルとを照合する。次に、ステップＳ４０３において、今回挿入されたディスクが過去に使用したディスクである否かを判別する。
【００２６】
ステップＳ４０３の判別の結果、ディスクが過去に挿入されたものであれば、該当するリストが更新対象として記憶される。また、ステップＳ４０３の判別の結果、過去に使用されたことの無いディスク（未使用ディスク）である場合は、ステップＳ４０４に進み、新規ディスクとしてリストの空き領域にデータが追加される。
【００２７】
新規ディスクを挿入した時には、図５の（ａ）のような、ディスクタイトル入力を促す内容が表示部２０６に表示される。本実施形態においては、このディスクに記録する内容が前回の続きである場合は過去に入力されたタイトルの履歴一覧が表示され、そこから選択することでユーザのタイトル入力を簡易化することができる。
【００２８】
過去のディスクタイトルと同じタイトルが選択された場合、関連付け番号は過去に選択されたディスクタイトルと同じ番号になる。そして、最後にこのディスクタイトルを記録したディスクから順序番号が一つインクリメントされる。図５（ａ）の場合には、「新規タイトル」、「運動会［３］」、「学芸会［２］」、「アメリカ旅行［３］」、「Ｗ杯観戦旅行［２］」が表示されている。
【００２９】
一方、過去に使用したディスクタイトルではなく、新規にタイトルを付加したい場合、ユーザは、図５（ａ）に表示されている項目の中から「新規タイトル作成」を選択する。すると、図５の（ｂ）に示すようなディスクタイトル入力画面が表示される。
【００３０】
そして、ユーザが「夏休み旅行」のようにタイトルを入力すると、関連付け番号「１２」が新規に作成され、順序番号「１」が付加されて、図３の（ｂ）に示すようにリストが空き領域に追加される。ここで、ユーザがタイトル入力をせずにキャンセルした場合はリスト管理の対象外ディスクとなる。ただし、タイトルは必要に応じて後から付加することも可能である。リストに保存される履歴は充分な数が必要であるが、リストの空き領域がなくなった場合は古い履歴から順に上書きされる。
【００３１】
次に、ディスク関連付け情報テーブル内の先頭オフセット情報更新についての詳細を示す。
図６は、８ｃｍディスク３枚を１２ｃｍディスク１枚にバックアップする例を示す図である。ダビング先のメディア先頭からのアドレスをoffset１、offset２、offset３とすると、それぞれの値はディスクに記録されているデータのサイズの合計から求めることができる。すなわち、「offset１＝０」、「offset２＝Size１」、「offset２＝Size１＋Size２」である。テーブルのオフセット値の更新は記録終了時に行われる。
【００３２】
図７は、記録終了時の処理の流れを説明するフローチャートである。
記録が終了すると、ステップＳ７０１においてディスクのデータ容量を取得する。次に、ステップＳ７０２において、ステップＳ７０１で取得したディスクのデータ容量値から前述した計算方法でオフセット値を算出する。次に、ステップＳ７０３に進み、ステップＳ７０２で算出した値をテーブルのオフセット値として更新する。
【００３３】
次に、データバックアップ時に行われる処理の流れを説明する。
図８は、データバックアップの処理の流れを説明するフローチャートである。
まず、図１に示すように、記録装置１１と外部ドライブ１２とを接続ケーブル１３により接続した状態で、記録装置１１の電源を投入し、ユーザ操作部２０７を操作することによりダビングモードに設定すると、図８のフローがスタートする。ユーザはダビング先のディスク１５を外部ドライブ１２に挿入する。
始めに、ステップＳ８０１において、ディスク関連付け情報テーブルに基づいて、ダビングを希望するタイトルをユーザに選択させる処理を実行する。図９の（ａ）は、この際に表示部２０６に表示されるタイトル選択画面の一例を示す図である。図９（ａ）に示したように、ディスク関連付け情報テーブルに記述されたディスクタイトルを表示する。
【００３４】
ユーザによってタイトルが選択されると、次に、ステップＳ８０２に進み、ステップＳ８０１において選択されたタイトルに従って、装着されているディスク２０５が選択されたタイトルのディスクであるかを判別する。次に、ステップＳ８０３に進み、装着されたディスク２０５が、選択されたタイトルが付加された一連のディスクの中の１枚であるか否かを判断する。
【００３５】
この判断の結果、該当ディスクであった場合にはステップＳ８０４に進み、ディスク関連付けテーブルに記録されている先頭オフセットを取得し、先頭アドレス情報を接続先の外部ドライブ２１２に送信する。その後、ステップＳ８０５に進み、ディスク２０５に記録されたデータ記録媒体ＩＦ２０４により再生し、記録開始を指示するコマンドと共に、再生されたデータを通信ＩＦ２１２を介して外部ドライブ２１２に送信する。外部ドライブ２１３は、通信ＩＦ２１２より送信されたデータを、先に受信した先頭アドレス情報にて指定されたアドレスからディスク２１４に対して記録する。送信中は、図９（ｂ）のようなダビング中である示すメッセージとともにプログレスバーによってデータ転送、書き込みの進捗が表示される。
【００３６】
送信が終了したら、ステップＳ８０６に進み、現在のディスク２０５が選択されたタイトルが付加された全てのディスクのうち、現在のディスク２０５以外に、バックアップ処理を行っていないディスクがあるか否かを判断する。この判断の結果、同じタイトルが付加されたディスクのうち、バックアップ処理済みでないディスクがある場合はステップＳ８０７に進み、ディスク交換メッセージを表示する。ディスク交換メッセージは図９（ｃ）のようになる。
図９（ｃ）では、タイトルとして「アメリカ旅行」が付加されたディスクが全部で３枚あり、そのうち、２枚のディスクがバックアップ処理済みで、バックアップ処理していないディスクが１枚残っていることを示している。
この様に、ステップＳ８０７では、選択したタイトルのディスクのうち、バックアップ済みのディスクとバックアップ処理していないディスクの情報を表示している。
【００３７】
ステップＳ８０７においてディスク交換メッセージを表示したら、次に、ステップＳ８０８に進み、処理のキャンセル操作が行われたか否かを判断する。ユーザによって処理のキャンセルが行われていなければ、ステップＳ８０２に戻り、次に挿入されたディスクを判別して、前述したステップＳ８０２〜ステップＳ８０６の処理を繰り返す。そして、ステップＳ８０６において、全てのデータを転送終了したと判断した場合には処理を終了する。
【００３８】
なお、ステップＳ８０３の判断の結果、挿入されているディスクのタイトルが該当のものでない場合、または関連付けテーブルの対象外となっているタイトルの記録されていないディスクの場合もある。この場合は、図９（ｄ）に示すディスク交換メッセージを表示してユーザにディスクの交換を促す。また、既にデータ転送を行ったディスクを挿入した場合も同様に、図９（ｅ）に示すメッセージを表示してディスク交換をユーザに促す。
【００３９】
次に、８ｃｍディスク３枚のデータを１２ｃｍディスク１枚にダビングする時のデータ転送イメージを図１０を参照しながら説明する。
１２ｃｍディスクへのデータの書き込みは、オフセット情報を元にオフセットアドレスから転送したデータを書き込みするように外部ドライブ２１３に指示する。以下の説明では、データ転送の順序が１枚目、３枚目、２枚目の順であった場合の例を示す。
【００４０】
１枚目のデータ転送では、offset１の値が「０」であるため、１２ｃｍディスクのデータ領域先頭からoffset２の直前まで、８ｃｍディスクのデータを記録する。次の３枚目のデータ転送では、図１０（ｂ）に示すように、offset３からデータを書き込むように指示をする。最後の２枚目のデータ転送では、図１０（ｃ）に示すように、未記録領域であるoffset２からoffset３の領域にデータを書き込むように指示する。全てのデータが書き終わった時点で１２ｃｍディスクには所望の順序に連続した１連のデータが記録完了する。
【００４１】
以上、８ｃｍディスク３枚から１２ｃｍディスク１枚にデータをバックアップする方法を説明したが、現在Blu-ray Discを始めとする大容量メディアが実用化されている。したがって、このような大容量メディアにバックアップする場合には、バックアップ元のメディアの枚数がさらに多くなることもある。この場合も前述の転送作業を所定回数繰り返すことによって実現することができる。
【００４２】
また、前述した実施形態においては、複数枚の８ｃｍディスクのデータを１枚の１２ｃｍディスクに直接書き込む例を示した。しかし、複数枚の８ｃｍディスクのデータを、例えば、ハードディスク（hard disk）などの大容量記録装置に記録しておき、ハードディスクから１２ｃｍディスクに書き込むようにしてもよい。
【００４３】
（本発明に係る他の実施の形態）
前述した本発明の実施の形態における記録装置を構成する各手段は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００４４】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００４５】
なお、本発明は、前述した記録方法における各工程を実行するソフトウェアのプログラム（実施の形態では図４、図７、図８に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００４６】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４７】
その場合、プログラムの機能を有していれば、オブジェクトコード、インタプリタにより実行されるプログラム、ＯＳに供給するスクリプトデータ等の形態であってもよい。
【００４８】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００４９】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００５０】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００５２】
また、コンピュータが、読み出したプログラムを実行することによって、前述した実施の形態の機能が実現される他、コンピュータ上で稼動しているＯＳなどが、実際の処理の一部または全部を行なうことによっても前述した実施の形態の機能が実現され得る。
【００５３】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施の形態の機能が実現される。
【００５４】
さらに、記憶媒体から読み出されたプログラムが、コンピュータに挿入された機能拡張ボードやコンピュータに接続された機能拡張ユニットに備わるメモリに書き込まれる。そして、その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００５５】
【図１】本発明の実施形態を示し、ダビングシステムの構成例を示す図である。
【図２】実施形態のビデオカメラの概略構成を示すブロック図である。
【図３】ディスク関連付けの情報を記録するリストの一例を説明する図である。
【図４】ディスク挿入時のテーブル追加処理手順の一例を説明するフローチャートである。
【図５】ディスクタイトル入力を促す表示画面の一例を示す図である。
【図６】ディスクバックアップ時のデータ配置を説明する図である。
【図７】記録終了時に行われるテーブル情報更新処理の一例を説明するフローチャートである。
【図８】ディスクをバックアップ時に行われる処理の一例を説明するフローチャートである。
【図９】ディスクをバックアップした時に表示されるメッセージ表示画面の一例を示した図である。
【図１０】ディスクバックアップ時のデータ配置例を説明する図である。
【符号の説明】
【００５６】
１１  ビデオカメラ
１２  外部ドライブ（ＤＶＤドライブ）
１３  接続ケーブル
１４  ８ｃｍディスク
１５  １２ｃｍディスク
２０１  光学ユニット
２０２  画像処理部
２０３  揮発性記憶媒体
２０４  記録媒体インターフェイス
２０５  第１の記憶媒体（第１の記録メディア）
２０６  表示部
２０７  ユーザ操作部
２０８  ＩＤ取得部
２０９  データサイズ取得部
２１０  テーブル生成部
２１１  不揮発性記憶媒体
２１２  通信インターフェイス
２１３  外部ドライブ
２１４  第２の記憶媒体（第２の記録メディア）
２１５  ＣＰＵ
【図１】
2009004046.tif 000003
【図２】
2009004046.tif 000004
【図３】
2009004046.tif 000005
【図４】
2009004046.tif 000006
【図５】
2009004046.tif 000007
【図６】
2009004046.tif 000008
【図７】
2009004046.tif 000009
【図８】
2009004046.tif 000010
【図９】
2009004046.tif 000011
【図１０】
2009004046.tif 000012